(57)【特許請求の範囲】
【請求項１】
弦楽器を模範演奏する動作の画像情報が記録されている記録手段と、
前記記録手段から前記模範演奏の画像情報を再生する再生手段と、
前記再生手段により再生された前記模範演奏の動作の画像と、練習者が弦楽器を演奏する動作の画像とを並列に対比して、練習者が目視できる表示手段とを備え、
前記表示手段が、前記模範演奏の左右を反転させた動作画像を表示する表示器と、この表示器の前面に位置し、前記練習者の弦楽器を演奏する動作像を反射すると共に、前記表示器に表示された前記動作画像を透過させて、前記模範演奏の動作画像と前記練習者の弦楽器を演奏する動作像とを並列に対比して目視できるハーフミラーからなることを特徴とする演奏練習装置。
【請求項２】
前記記録手段に前記模範演奏の音声情報も記録し、前記再生手段により前記音声情報を再生することを特徴とする請求項１記載の演奏練習装置。
【発明の詳細な説明】
【０００１】
【産業上の利用分野】
本発明は、楽器演奏練習時に模範演奏と自分の演奏とを同時に見ながら練習する演奏練習装置に関するものである。
【０００２】
【従来の技術】
一般に楽曲は図６（ａ）の上段に示す五線譜により表現されているが、例えば楽器がギターの場合五線譜で表現されている音符を、どの指を持って弾くのか初心者にはわかりにくい欠点を有している。
また、同図下段にはタブラチュア（ＴＡＢ）譜の一種が示されている。タブラチュア譜はアルファベット、文字あるいは数字を使って音符を書き表す方法で、ヨーロッパ全域に渡り古い時代の器楽奏者たちが用いた楽譜である。タブラチュア譜の原則は楽器の弦（コース）を表す弦の数だけの横線を水平に引き、その上に押さえるべきフレットの符号を、数字またはアルファベット文字によって順次書き込んでいく。各音符の長さ（時価）は数本の線の上方の余白部に棒（符幹）と、はた（符尾）とからなる音符あるいはそれに準ずるものを記入して示すようにする。
【０００３】
図６（ａ）の下段に示すタブラチュア譜の一種は楽器がギターの場合であり、ギターの６本の弦を表す横線が水平に引かれ、横線上に付された押さえる弦を示す音符のたま（符頭）に相当する部分にフレットの番号が示されており、音符の棒（符幹）と、はた（符尾）とで時価を示している。さらに、下方の余白部に音符に対応する弦を弾く指を示している。
また同図（ｂ）はコードを弾く際の五線譜を上段に、楽器がギターの場合のタブラチュア譜の一種を下段に示している。このタブラチュア譜は前記説明したとおりであるが、箱の蓋のような記号は上から下方向へ各弦を連続的に弾くことを示しており、下向きのくさびのような記号は下から上方向へ各弦を連続的に弾くことを示している。
【０００４】
また、特開平５−４６０７３号公報で公開されている演奏練習装置の構成を図７に示す。
演奏練習装置は、楽器の演奏の仕方等の映像信号と演奏音を記録した光ディスク１１１と、この光ディスク１１１から前記映像信号と演奏音を再生する再生プレーヤ１１２と、再生された映像信号を表示する画像表示装置１１３と、再生された演奏音を放音する音声再生装置１１４とから構成されている。
【０００５】
この演奏練習装置において、光ディスク１１１を再生プレーヤ１１２にセットし、操作ボタンの内再生開始ボタンを押すと光ディスク１１１に記録された楽器の演奏の仕方の映像信号と演奏音とが再生される。再生された映像信号は画像表示装置１１３に表示され、再生された演奏音は増幅装置１１８で増幅されてスピーカ１１９から放音される。そこで、練習者は画像表示装置１１３に表示された演奏の仕方の映像を見つつその演奏音を聞きながら練習を行う。
【０００６】
この場合、画像表示装置１１３に表示される画面は楽譜表示部１２１と楽器演奏部１２２とに分割されている。この楽譜表示部１２１には楽譜が表示され、曲の旋律に合わせてマーク部１２３が音符に表示される。また、楽器演奏部１２２はさらに左指の使い方を示す画像１２２ａと右指の使い方を示す画像１２２ｂとに分割されている。
このように、この演奏練習装置においては楽器の演奏の仕方と楽譜および旋律の関係を目および耳から同時に把握することができる。
【０００７】
【発明が解決しようとする課題】
しかしながら、タブラチュア譜においてはタブラチュア譜とそれに対応するギターの弦とフレット位置を交互に確認しながら弾くので、曲を流れとして覚えるのに時間がかかるという問題点がある。
特に、ギターと楽譜を交互に見る際、楽譜の順序を間違えないで見ていくためには、楽譜位置を常に覚えていなければならないという、練習者には不本意な大きな精神的負担がかかってしまっていた。
さらに、コードのタブラチュア譜の場合は、タブラチュア譜を見ても弦を押さえる指の形がとっさにわからないという問題点もあった。
【０００８】
また、前記した従来の演奏練習装置においては、画像表示装置に表示されている模範演奏の画像と、演奏練習中の楽器である例えばギターの弦とフレットとを交互に確認しながら弾く必要があり、前記のように曲を流れとして覚えるのに時間がかかるという問題点がある。
そこで、本発明は模範演奏の動作と自分の演奏の動作とを同時に見ながら練習を行うことができる演奏練習装置を提供することを目的としている。
【０００９】
【課題を解決するための手段】
前記目的を達成するため、本発明の演奏練習装置は、弦楽器を模範演奏する動作の画像情報が記録されている記録手段と、前記記録手段から前記模範演奏の画像情報を再生する再生手段と、前記再生手段により再生された前記模範演奏の動作の画像と、練習者が弦楽器を演奏する動作の画像とを並列に対比して、練習者が目視できる表示手段とを備え、前記表示手段が、前記模範演奏の左右を反転させた動作画像を表示する表示器と、この表示器の前面に位置し、前記練習者の弦楽器を演奏する動作像を反射すると共に、前記表示器に表示された前記動作画像を透過させて、前記模範演奏の動作画像と前記練習者の弦楽器を演奏する動作像とを並列に対比して目視できるハーフミラーからなるようにしたものである。
【００１０】
さらに、前記演奏練習装置において、前記記録手段に前記模範演奏の音声情報も記録し、前記再生手段により前記音声情報を再生しても良いものである。
【００１１】
【作用】
本発明によれば、練習時に模範演奏の動作と自分の演奏の動作とを同時に見ることができるため、仮に楽器がギターの場合は模範演奏の動作画像と練習中のギターの弦とフレット位置とを交互に見る必要がなくなり、曲を流れとして短時間に覚えることができる。
また、楽譜位置を覚える必要がないと共に、弦を押さえる指の形が模範演奏として表示されるため効率的に練習を行うことができる。
【００１２】
【実施例】
本発明の演奏練習装置を用いてギターの練習を行っている状態を図１に示す。図１において、１は表示装置２に表示されている画像を透過すると共に、楽器練習者４の楽器操作状態を反射するハーフミラー、２は再生装置５で再生された模範演奏の動作中の画像を表示する表示装置、３は楽器練習者４が練習しているギター、４は楽器の練習者、５は模範演奏の動作映像情報が記録されている記録手段から模範演奏の映像情報と音声情報とを再生する再生装置、６は再生装置５から表示装置２へ映像情報と音声情報とを伝送するコードである。
【００１３】
模範演奏の動作映像情報を記録している、例えば光ディスク等の記録手段を再生装置５にセットして、模範演奏の動作映像情報と音声情報とを再生装置５により再生し、その映像情報と音声情報とをコード６を介して表示装置２に送る。表示装置５は送られてきた模範演奏の動作映像情報と音声情報とを受けて、模範演奏の動作画像を表示画面に表示すると共に演奏音を放音する。
楽器練習者４は表示装置２に表示されている模範演奏の動作画像をハーフミラー１を透かして目視することができると共に、自分（練習者４）が楽器を弾いている動作の反射像をハーフミラー１を見ることにより目視することができる。また、演奏音も聞くことができる。すなわち、練習者４はハーフミラー１を見ることにより、例えば図２に示すように模範演奏の動作画像と、練習者４が楽器を弾いている実際の動作とを並列に表示して対比できるようにした画像を目視することができる。
【００１４】
なお、図２に示す画像において上段が例えばＣＲＴとされる表示画面に表示される模範演奏の動作であり、左側に示す左手の指先に黒丸で示す部分は左手の各指で押さえるフレットを示しており、右側に示す右手の指先に黒丸で示す部分は弦を弾く右手の指を示している。また、下段には練習者４の実際の動作が反射された反射像が示されている。したがって、模範演奏の動作を記録する場合は裏焼きしたように映像処理を行った映像を記録する必要がある。
これにより、練習者４はハーフミラー１を見るだけで模範演奏の動作を見ながら自分の実際の動作を確認することができると共に、模範演奏の演奏音も聞くことができる。このため、指の動作が分かると共にフレットを押さえる指も分かり効率的に練習を行うことができると共に、曲を流れとして覚えやすくなる。
【００１５】
なお、模範演奏の画像は表示画面の約半分程度とされており、反射像としての練習者４の実際の動作の画像と大きさがほぼ等しくなるように調整されている。さらに、表示装置２に表示される再生画像の大きさや上下・左右の位置を調整できる機能を再生装置５に設けるようにしても良い。
【００１６】
また、図３に示すようにハーフミラー１の位置は練習者４の目と表示装置２の表示画面２−１との中間の位置とされている。すなわち、練習者４の目と表示画面２−１との距離をＬＴＶとし、練習者４の目とハーフミラー１までの距離をＬＯＪ１  、ハーフミラー１と練習者４が練習している楽器３までの距離をＬＯＪ２  とすると、
ＬＴＶ≒ＬＯＪ１  ＋ＬＯＪ２
とされている。
これは、練習者４の目と表示装置２までの距離と、ハーフミラー１で反射される楽器までの距離とを等しくして、練習者４の目の焦点が両方の画像に合うようにするためである。
【００１７】
図４は図１に示す演奏練習装置の構成を示す図である。
この図において、模範演奏の動作映像情報と音声情報とが記録されている光ディスク１１が再生装置５にセットされると、再生装置５内の読み取り装置１２により光ディスク１１が読み取られ、記録された映像情報が画像制御回路１３に出力され、記録された音声情報が音声制御回路１４に出力される。そして、画像制御回路１３により画像制御された映像情報はＣＲＴ１５に送られ模範演奏の動作画像が表示され、音声制御回路１４により音声制御された音声情報はサウンドシステム１６より放音される。
【００１８】
画像制御回路１３は映像信号処理を行っているが、画像の大きさや上下・左右の位置を調整する処理を行うようにしても良い。この場合、映像情報をディジタル信号として処理するようにすると、各種映像信号処理を行いやすくすることができる。
また、音声制御回路１４はステレオ復調処理等を行っている。
なお、模範演奏を記録している記録手段は光ディスクとして説明したが、これに限らずビデオテープの他の映像記録手段等であっても良い。
【００１９】
本発明の演奏練習装置の他の実施例の構成を図５に示す。
この図において、２１は練習者が楽器を練習しているときの実際の動作の映像を撮影するビデオカメラ、２２はビデオカメラ２１で撮影した映像情報が一時書き込まれるビデオメモリ、２３はビデオメモリ２２の書込／読出を制御する書込／読出制御部、２４はビデオメモリ２２から読み出された映像情報の大きさや上下・左右の位置の処理等を行う画像処理回路、２５は模範演奏の動作映像情報に画像処理回路２４からの練習者の動作映像情報をはめ込む画像はめ込み回路、２６は模範演奏の動作映像情報に画像処理回路２４からの練習者の動作映像情報をはめ込んだ画像を表示する表示装置である。
【００２０】
さらに、２７は模範演奏の動作映像情報と音声情報とが記録されている光ディスク、２８は光ディスク２７から映像情報と音声情報とを再生する再生装置、２９は再生された映像情報の大きさや上下・左右の画像表示位置の処理を行う画像処理回路、３０は再生された音声情報の処理を行う音声処理回路、３１は音声処理された音声の放音を行うサウンドシステムである。
【００２１】
この演奏練習装置の動作を説明すると、練習者が楽器を練習しているときの実際の動作の映像を撮影するビデオカメラ２１からの映像情報は、書込／読出制御部２３の書込制御に基づいてビデオメモリ２２に書き込まれる。そして、書込／読出制御部２３の読出制御に基づいてビデオメモリ２２からは左と右が逆にされた映像情報が読み出されて、画像処理回路２４に供給され画像の大きさや上下・左右の画像表示位置の処理が行われる。
また、模範演奏の動作映像情報と音声情報とが記録されている光ディスク２７が再生装置２８にセットされると、再生装置２８により光ディスク２７に記録された映像情報が再生されて画像処理回路２４に供給され、再生された音声情報が音声処理回路３０に出力される。音声処理回路３０よりの音声情報はサウンドシステム３１から放音される。
【００２２】
さらに、画像処理回路２９により画像の大きさや上下・左右の画像表示位置の処理が行われた映像情報は、画像処理回路２４からの映像情報と共に画像はめ込み回路２５に供給されている。この画像はめ込み回路２５において、模範演奏の動作映像情報に画像処理回路２４からの練習者の動作映像情報をはめ込んだ画像を作成し、表示装置２６においてはめ込まれた画像を表示している。
練習者はこの表示装置２６に表示される画像を見ながら楽器の練習を行う場合に、模範演奏の動作画像に並列して練習者が楽器を弾いている動作画像を同時に目視することができると共に、模範演奏の演奏音も聞くことができる。すなわち、楽器練習者は表示装置２６を見ることにより、例えば図２に示すように模範演奏の動作画像と練習者４が楽器を弾いている実際の動作とを対比できるよう並列にされた画像を目視することができる。
【００２３】
これにより、楽器練習者は表示装置２６を見るだけで模範演奏の動作を見ながら自分の実際の動作を確認することができると共に、模範演奏の演奏音も聞くことができる。このため、指の動作が瞬時に理解できると共にフレットを押さえる指も理解でき効率的に練習を行うことができると共に、曲を流れとして覚えやすくなる。
なお、画像処理装置２４，２９とにより画像の大きさや表示される上下・左右の位置を調整することができるため、練習者の見やすい大きさで所望の位置に表示された表示画像を得ることができる。
【００２４】
また、画像はめ込み回路２５から例えばＮＴＳＣ方式の映像信号を送出するようにすると、表示装置として通常のテレビジョンを用いることができ、画像と音声とをテレビジョンから得ることができる。
さらに、記録手段としてビデオテープを用い、再生装置５としてＶＴＲを用いるようにすると、家庭にある通常のＶＴＲとテレビジョンとを利用した簡易型の演奏練習装置とすることができる。
以上の説明では、練習楽器としてギターを挙げて説明したが、ギターに限らず鍵盤楽器や管楽器等の演奏練習装置としても使用することができる。
なお、ハーフミラー全体を凹面あるいは凸面として楽器練習中の実際の動作の反射像を拡大あるいは縮小することにより、反射像の大きさを調整するようにしても良い。
【００２５】
【発明の効果】
本発明は以上のように構成されているので、模範演奏の動作と自分の演奏とを同時に見ることができ、仮に楽器をギターとすると模範演奏の動作と練習中のギターの弦とフレットの位置とを交互に見る必要がなくなり、曲を流れとして短時間に覚えることができる。
また、楽譜位置を覚える必要がないと共に、弦を押さえる指の形が模範演奏として表示されるため効率的に練習を行うことができる。
【図面の簡単な説明】
【図１】本発明の演奏練習装置を用いてギターの練習を行っている状態を示す図である。
【図２】本発明のハーフミラーを見ることにより目視できる画像である。
【図３】練習者と表示装置及び楽器との適切な距離を説明するための図である。
【図４】本発明の演奏練習装置の構成を示す図である。
【図５】本発明の他の演奏練習装置の構成を示す図である。
【図６】従来用いられている五線譜とタブラチュア譜を示す図である。
【図７】従来の演奏練習装置の構成を示す図である。
【符号の説明】
１  ハーフミラー、２，２６  表示装置、２−１  表示画面、３  楽器、４  楽器練習者、５，２８  再生装置、６  コード、１１，２７光ディスク、１２  読み取り装置、１３  画像制御回路、１４  音声制御回路、１５  ＣＲＴ、１６，３１  サウンドシステム、２１  ビデオカメラ、２２  ビデオメモリ、２３  書込／読出制御回路、２４，２９  画像処理回路、２５  画像はめ込み回路、３０  音声処理回路
【図１】
0003555172.tif 000002
【図２】
0003555172.tif 000003
【図３】
0003555172.tif 000004
【図４】
0003555172.tif 000005
【図５】
0003555172.tif 000006
【図６】
0003555172.tif 000007
【図７】
0003555172.tif 000008